(57)【要約】【課題】構造および制御内容を大幅に変更することなく、紙葉類の収納領域の数を変更することができる紙葉類処理装置を提供する。【解決手段】紙葉類処理装置は、筐体１０の内部に設けられ、受入部２０により繰り入れられた紙葉類の搬送を行う搬送部３０と、筐体１０の内部において搬送部３０に接続するよう設けられ、搬送部３０から送られた紙葉類の収納を行う還流式収納部６０とを備えている。還流式収納部６０には、分割機構が着脱自在に設けられている。分割機構が還流式収納部６０に取り付けられたときに、この還流式収納部６０は互いに異なる種類の紙葉類を収納可能な２以上の収納領域に分割される。【選択図】図１
2008269387.tif 000002
【特許請求の範囲】
【請求項１】
紙葉類を外部から繰り入れて内部に収納する紙葉類処理装置であって、
筐体と、
前記筐体に設けられ、当該筐体の外部からの紙葉類の前記筐体内への繰り入れを行う受入部と、
前記筐体の内部に設けられ、前記受入部により繰り入れられた紙葉類の搬送を行う搬送部と、
前記搬送部に設けられ、前記筐体の内部において前記搬送部により搬送される紙葉類の識別を行う識別部と、
前記筐体の内部において前記搬送部に接続するよう設けられ、前記搬送部から送られた紙葉類の収納を行う収納部と、
前記搬送部に設けられ、前記識別部により識別された結果に基づいて前記搬送部により搬送される紙葉類の前記収納部への仕分けを行う仕分け機構と、
前記収納部に着脱自在に設けられた分割機構であって、当該分割機構が前記収納部に取り付けられたときにこの収納部は２以上の収納領域に分割されるような分割機構と、
を備えたことを特徴とする紙葉類処理装置。
【請求項２】
前記分割機構が前記収納部に取り付けられたときに、２以上の前記収納領域は互いに異なる取り込み口を介して前記搬送部に接続されるようになっており、
前記仕分け機構は各取り込み口に対応して複数設置されていることを特徴とする請求項１記載の紙葉類処理装置。
【請求項３】
前記受入部から前記収納部に紙葉類を送るための前記搬送部は１つのものが共通して用いられることを特徴とする請求項１記載の紙葉類処理装置。
【請求項４】
紙葉類を外部から繰り入れて内部に収納するとともにこの内部に収納された紙葉類を外部に繰り出し可能な紙葉類処理装置であって、
筐体と、
前記筐体に設けられ、当該筐体の外部からの紙葉類の前記筐体内への繰り入れを行う受入部と、
前記筐体の内部に設けられ、前記受入部により繰り入れられた紙葉類の搬送を行う搬送部と、
前記搬送部に設けられ、前記筐体の内部において前記搬送部により搬送される紙葉類の識別を行う識別部と、
前記筐体の内部において前記搬送部に接続するよう設けられ、前記搬送部から送られた紙葉類の収納を行うとともに収納された紙葉類を前記搬送部に戻すことが可能な還流式収納部と、
前記筐体に設けられ、前記搬送部により搬送された紙葉類の前記筐体の外部への繰り出しを行う放出部と、
前記搬送部に設けられ、前記識別部により識別された結果に基づいて前記搬送部により搬送される紙葉類の前記還流式収納部への仕分けを行う仕分け機構と、
前記還流式収納部に着脱自在に設けられた分割機構であって、当該分割機構が前記還流式収納部に取り付けられたときにこの還流式収納部は２以上の収納領域に分割されるような分割機構と、
を備えたことを特徴とする紙葉類処理装置。
【請求項５】
前記分割機構が前記還流式収納部に取り付けられたときに、２以上の前記収納領域は互いに異なる取り込み口を介して前記搬送部に接続されるようになっており、
前記仕分け機構は各取り込み口に対応して複数設置されていることを特徴とする請求項４記載の紙葉類処理装置。
【請求項６】
前記分割機構が前記還流式収納部に取り付けられたときにおいて、前記搬送部から前記還流式収納部の各収納領域への紙葉類の各取り入れルートは、前記各収納領域に収納された紙葉類の前記搬送部への各戻しルートと同一となっていることを特徴とする請求項４記載の紙葉類処理装置。
【請求項７】
前記受入部から前記還流式収納部に紙葉類を送るとともに前記還流式収納部に収納された紙葉類を前記放出部に送るための前記搬送部は１つのものが共通して用いられることを特徴とする請求項４記載の紙葉類処理装置。
【発明の詳細な説明】
【技術分野】
【０００１】
本発明は、紙葉類を外部から繰り入れて内部に収納する紙葉類処理装置、および紙葉類を外部から繰り入れて内部に収納するとともにこの内部に収納された紙葉類を外部に繰り出し可能な紙葉類処理装置に関し、とりわけ、構造および制御内容を大幅に変更することなく、紙葉類の収納領域の数を変更することができる紙葉類処理装置に関する。
【背景技術】
【０００２】
従来より、様々な金種の紙幣を外部から１枚ずつ順次繰り入れて内部に収納する紙幣処理装置として、様々な種類のものが知られている。
【０００３】
このような紙幣処理装置としては、例えば２千円紙幣、５千円紙幣、１万円紙幣等についてはこれらの紙幣を外部から１枚ずつ順次繰り入れて内部の収納庫に収納するのみとなっており、千円紙幣については外部から１枚ずつ順次繰り入れて収納庫に収納するとともにこの収納庫に収納された紙幣を１枚ずつ順次外部に繰り出し可能となっているものが知られている。このように、内部に一旦繰り入れられて収納された紙幣を再び外部に繰り出すことを、紙幣の還流またはリサイクルという。
【０００４】
また、特許文献１には、紙幣の収納庫毎にリサイクルの有無を選定することができる紙幣入出金機（紙幣処理装置）が記載されている。具体的には、特許文献１に開示される紙幣入出金機は、入金のみを扱う入金機、出金のみを扱う出金機、入出金を扱う入出金機のいずれかの選定、各取引の金種数の選定、各金種のリサイクルの有無の選定等に容易に対応できる汎用性の高いものとなっている。
【０００５】
また、特許文献２、３には、収納庫の種類（リサイクルの有無等）の変更や設置数の増加、削減を行うことができる紙幣入出金機（紙幣処理装置）が記載されている。
【０００６】
【特許文献１】特開平１１−１１０６０７号公報
【特許文献２】特開２００２−２３６９６１号公報
【特許文献３】特開２００６−１２０１８０号公報
【発明の開示】
【発明が解決しようとする課題】
【０００７】
ところで、近年では、構造および制御内容を大幅に変更することなく、紙幣の収納領域の数を変更することができる紙幣処理装置が求められている。すなわち、紙幣処理装置において紙幣の収納領域は紙幣の金種に対応して設ける必要があり、このため収納すべき紙幣の金種の増減に合わせて紙幣の収納領域の数を増減させることが望ましい。しかしながら、上述のような従来の紙幣処理装置では、構造および制御内容を大幅に変更することなく紙幣の収納領域の数を変更することは困難である。
【０００８】
すなわち、上述のような千円紙幣についてのみリサイクル可能な紙幣処理装置については、このような紙幣処理装置において紙幣の収納領域の数を変更する場合には構造上の大幅な見直しが必要である。また、上述の特許文献１に開示される紙幣入出金機においては、収納庫の数が決まっているので収納庫自体の増設を行うことができない。また、上述の特許文献２、３に開示される紙幣入出金機においては、収納庫自体の増設を行うことは可能であるが、収納庫を増設すると装置全体が大きくなってしまい、装置全体の寸法が変わるので汎用性
に劣るという問題がある。
【０００９】
本発明は、このような点を考慮してなされたものであり、構造および制御内容を大幅に変更することなく、紙葉類（紙幣等）の収納領域の数を変更することができる紙葉類処理装置を提供することを目的とする。
【課題を解決するための手段】
【００１０】
本発明は、紙葉類を外部から繰り入れて内部に収納する紙葉類処理装置であって、筐体と、前記筐体に設けられ、当該筐体の外部からの紙葉類の前記筐体内への繰り入れを行う受入部と、前記筐体の内部に設けられ、前記受入部により繰り入れられた紙葉類の搬送を行う搬送部と、前記搬送部に設けられ、前記筐体の内部において前記搬送部により搬送される紙葉類の識別を行う識別部と、前記筐体の内部において前記搬送部に接続するよう設けられ、前記搬送部から送られた紙葉類の収納を行う収納部と、前記搬送部に設けられ、前記識別部により識別された結果に基づいて前記搬送部により搬送される紙葉類の前記収納部への仕分けを行う仕分け機構と、前記収納部に着脱自在に設けられた分割機構であって、当該分割機構が前記収納部に取り付けられたときにこの収納部は２以上の収納領域に分割されるような分割機構と、を備えたことを特徴とする紙葉類処理装置である。
【００１１】
このような紙葉類処理装置によれば、収納部に分割機構が着脱自在に設けられており、この分割機構が収納部に取り付けられたときに、この収納部は２種類以上の紙葉類が収納可能となるよう２つ以上の収納領域に分割されるようになっている。このことにより、紙葉類処理装置の構造および制御内容を大幅に変更することなく、当該紙葉類処理装置における紙葉類の収納領域の数を変更することができ、収納可能な金種等の数も変更することができるようになる。さらに、着脱式の分割機構を用いることにより、このような紙葉類の収納領域の数の変更を容易に行うことができるようになる。
【００１２】
本発明の紙葉類処理装置においては、前記分割機構が前記収納部に取り付けられたときに、２以上の前記収納領域は互いに異なる取り込み口を介して前記搬送部に接続されるようになっており、前記仕分け機構は各取り込み口に対応して複数設置されていることが好ましい。このことにより、搬送部により搬送される紙葉類を、その種類に応じてより確実に各収納領域に仕分けすることができるようになる。
【００１３】
本発明の紙葉類処理装置においては、前記受入部から前記収納部に紙葉類を送るための前記搬送部は、当該収納部が複数の収納領域に分割されるのにもかかわらず１つのものが共通して用いられることが好ましい。このことにより、各収納領域に対応して搬送部をそれぞれ設置する場合と比較して、紙葉類処理装置の構成を簡易なものとすることができ、紙葉類処理装置全体の小型化を図ることができるようになる。
【００１４】
本発明は、紙葉類を外部から繰り入れて内部に収納するとともにこの内部に収納された紙葉類を外部に繰り出し可能な紙葉類処理装置であって、筐体と、前記筐体に設けられ、当該筐体の外部からの紙葉類の前記筐体内への繰り入れを行う受入部と、前記筐体の内部に設けられ、前記受入部により繰り入れられた紙葉類の搬送を行う搬送部と、前記搬送部に設けられ、前記筐体の内部において前記搬送部により搬送される紙葉類の識別を行う識別部と、前記筐体の内部において前記搬送部に接続するよう設けられ、前記搬送部から送られた紙葉類の収納を行うとともに収納された紙葉類を前記搬送部に戻すことが可能な還流式収納部と、前記筐体に設けられ、前記搬送部により搬送された紙葉類の前記筐体の外部への繰り出しを行う放出部と、前記搬送部に設けられ、前記識別部により識別された結果に基づいて前記搬送部により搬送される紙葉類の前記還流式収納部への仕分けを行う仕分け機構と、前記還流式収納部に着脱自在に設けられた分割機構であって、当該分割機構が前記還流式収納部に取り付けられたときにこの還流式収納部は２以上の収納領域に分割されるような分割機構と、を備えたことを特徴とする紙葉類処理装置である。
【００１５】
このような紙葉類処理装置によれば、還流式収納部に分割機構が着脱自在に設けられており、この分割機構が還流式収納部に取り付けられたときに、この還流式収納部は２種類以上の紙葉類が収納可能となるよう２つ以上の収納領域に分割されるようになっている。このことにより、一つの紙葉類処理装置を、例えば、１つの金種のみについて還流を行うことができる１金種還流式の用途と、２種類の金種について還流を行うことができる２金種還流式の用途との両方の用途で使用することができ、さらに、着脱式の分割機構を用いることにより、このような１金種還流式の用途と２金種還流式の用途との切り換えを容易に行うことができるようになる。このため、紙葉類処理装置の構造および制御内容を大幅に変更することなく、還流式の紙葉類の収納領域の数を変更することができるようになり、紙葉類処理装置の汎用性を向上させることができる。
【００１６】
本発明の紙葉類処理装置においては、前記分割機構が前記還流式収納部に取り付けられたときに、２以上の前記収納領域は互いに異なる取り込み口を介して前記搬送部に接続されるようになっており、前記仕分け機構は各取り込み口に対応して複数設置されていることが好ましい。このことにより、搬送部により搬送される紙葉類を、その種類に応じてより確実に各収納領域に仕分けすることができるようになる。
【００１７】
本発明の紙葉類処理装置においては、前記分割機構が前記還流式収納部に取り付けられたときにおいて、前記搬送部から前記還流式収納部の各収納領域への紙葉類の各取り入れルートは、前記各収納領域に収納された紙葉類の前記搬送部への各戻しルートと同一となっていることが好ましい。このことにより、各収納領域について取り入れルートと戻しルートとを別々にする場合と比較して、還流式収納部における構成を簡易なものとすることができ、紙葉類処理装置全体の小型化を図ることができるようになる。
【００１８】
本発明の紙葉類処理装置においては、前記受入部から前記還流式収納部に紙葉類を送るとともに前記還流式収納部に収納された紙葉類を前記放出部に送るための前記搬送部は、還流式収納部が複数の収納領域に分割されるのにもかかわらず１つのものが共通して用いられることが好ましい。このことにより、各収納領域に対応して搬送部をそれぞれ設置する場合と比較して、紙葉類処理装置の構成を簡易なものとすることができ、紙葉類処理装置全体の小型化を図ることができるようになる。
【発明の効果】
【００１９】
本発明の紙葉類処理装置によれば、収納部に分割機構が着脱自在に設けられており、この分割機構が収納部に取り付けられたときに、この収納部は２種類以上の紙葉類が収納可能となるよう２つ以上の収納領域に分割されるようになっているので、紙葉類処理装置の構造および制御内容を大幅に変更することなく、当該紙葉類処理装置における紙葉類の収納領域の数を変更することができ、収納可能な金種等の数も変更することができるようになる。さらに、着脱式の分割機構を用いることにより、このような紙葉類の収納領域の数の変更を容易に行うことができるようになる。
【発明を実施するための最良の形態】
【００２０】
以下、図面を参照して本発明の一の実施の形態について説明する。図１乃至図９は、本発明による紙葉類処理装置の一の実施の形態を示す図である。
このうち、図１は、本発明の一の実施の形態における紙幣処理装置の構成を示す側面図であって、（ａ）は還流式収納部に分割機構を設けて２金種還流式にしたときの構成を示し、（ｂ）は、１金種還流式にしたときの構成を示す。また、図２は、２金種還流式にしたときの図１の紙幣処理装置を左側面から見た斜視図であり、図３は、２金種還流式にしたときの図１の紙幣処理装置を右側面から見た斜視図である。また、図４は、図１の紙幣処理装置における還流式収納部の構成の詳細を示す拡大側面図であって、（ａ）は２金種還流式にしたときの構成を示し、（ｂ）は、１金種還流式にしたときの構成を示す。また、図５は、図１の紙幣処理装置に用いられる分割機構の各部品の斜視図である。
また、図６は、２金種還流式にしたときの図１の紙幣処理装置における入金処理時の紙幣処理フローを示し、図７は、２金種還流式にしたときの図１の紙幣処理装置における出金処理時の紙幣処理フローを示す。また、図８は、１金種還流式にしたときの図１の紙幣処理装置における入金処理時の紙幣処理フローを示し、図９は、１金種還流式にしたときの図１の紙幣処理装置における出金処理時の紙幣処理フローを示す。
【００２１】
まず、本実施の形態の紙幣処理装置の構成の概略について説明する。
本実施の形態の紙幣処理装置は、筐体（フレーム部）１０と、この筐体１０に設けられ、当該筐体１０の外部からの紙幣の筐体１０内への繰り入れを行う受入部２０と、筐体１０の内部に設けられ、受入部２０により繰り入れられた紙幣の搬送を行う搬送部３０と、筐体１０に設けられ、搬送部３０により搬送された紙幣の筐体１０の外部への繰り出しを行う放出部９０とを備えている。ここで、搬送部３０には、筐体１０の内部において当該搬送部３０により搬送される紙幣の金種等の識別を行う識別部４０が設けられている。また、識別部４０の下流側において、搬送部３０には第１の収納部５０および第２の収納部５４がそれぞれ接続されており、この第１の収納部５０および第２の収納部５４は各々搬送部３０から送られた紙幣の収納を行うようになっている。また、搬送部３０による紙幣の搬送方向において識別部４０の下流側であって各収納部５０、５４の上流側の位置に、１つの還流式収納部６０が設けられている（図１（ｂ）参照）。還流式収納部６０は搬送部３０に接続されており、この搬送部３０から送られた紙幣の収納を行うとともに収納された紙幣を搬送部３０に戻すことが可能となっている。また、還流式収納部６０には分割機構７０が着脱自在に設けられており、分割機構７０が還流式収納部６０に取り付けられたときにこの還流式収納部６０は互いに異なる種類の紙幣を収納可能な２つの収納領域６２、６４となるよう上下に分割されるようになっている（図１（ａ）参照）。また、搬送部３０には、識別部４０によって識別された結果に基づいて当該搬送部３０により搬送される紙幣の各収納部５０、５４および還流式収納部６０への仕分けをそれぞれ行う４つの仕分け機構８０、８２、８４、８６が設けられている。
【００２２】
上述の紙幣処理装置において、図１（ａ）に示すように還流式収納部６０に分割機構７０を設けてこの還流式収納部６０を２つの収納領域６２、６４に分割したときには、当該紙幣処理装置は２金種還流式として用いられるようになる。一方、図１（ｂ）に示すように還流式収納部６０に分割機構７０が取り付けられていない場合は、当該紙幣処理装置は１金種還流式として用いられるようになる。なお、「還流」とは、内部に一旦繰り入れられて収納された紙幣を再び外部に繰り出すことをいい、１金種還流式とは１つの金種（具体的には例えば千円紙幣）のみについて上述の還流を行うことをいい、また、２金種還流式とは２つの金種（具体的には例えば千円紙幣と５千円紙幣）について上述の還流を行うことをいう。
【００２３】
以下、このような紙幣処理装置の各構成要素について詳述する。
【００２４】
受入部２０は、紙幣処理装置の筐体１０の上部に設けられており、複数枚の紙幣を一括して受け入れ、この受け入れられた紙幣を１枚ずつ順次搬送部３０へ搬送するようになっている。
【００２５】
搬送部３０は、複数のローラおよびこれらのローラに張架された搬送ベルトより構成されている。搬送部３０は、受入部２０により筐体１０内に繰り入れられた紙幣を、識別部４０および４つの仕分け機構８０、８２、８４、８６を経て、後述する放出部９０まで筐体１０内で１枚ずつ順次搬送するようになっている。
【００２６】
放出部９０は、紙幣処理装置の筐体１０の上部において受入部２０の真下に設けられており、搬送部３０により搬送された紙幣の筐体１０の外部への繰り出しを行うようになっている。具体的には、搬送部３０から送られた紙幣は一旦放出部９０で保留され、この保留された紙幣は一括して放出されるようになっている。
【００２７】
識別部４０は、搬送部３０により受入部２０から送られた紙幣について、その正損、真偽、金種等を１枚ずつ識別するようになっている。当該識別部４０による識別結果は、後述する各仕分け機構８０、８２、８４、８６の動作の制御に用いられることとなる。
【００２８】
第１の収納部５０は、入金処理時において、搬送部３０により搬送される紙幣について後述の第４の仕分け機構８６により当該第１の収納部５０に送るよう仕分けされた紙幣を積層状態で収納するようになっている。具体的には、第１の収納部５０は例えば１万円紙幣を収納するようになっている。
【００２９】
第２の収納部５４は、入金処理時において、搬送部３０により搬送される紙幣について後述の第３の仕分け機構８４により当該第２の収納部５４に送るよう仕分けされた紙幣を積層状態で収納するようになっている。具体的には、紙幣処理装置が２金種還流式として用いられるときには第２の収納部５４は例えば２千円紙幣を収納するようになっており、一方、紙幣処理装置が１金種還流式として用いられるときには第２の収納部５４は例えば２千円紙幣および５千円紙幣の両方を混合して収納するようになっている。
【００３０】
なお、第１の収納部５０および第２の収納部５４に収納された紙幣が再び搬送部３０に戻されることはない。
【００３１】
また、第１の収納部５０と第２の収納部５４との間には、出金リジェクト部５８が設けられている。具体的には、出金リジェクト部５８は第４の仕分け機構８６を介して搬送部３０に接続されており、出金処理時において、搬送部３０により搬送される紙幣について第４の仕分け機構８６により当該出金リジェクト部５８に送るよう仕分けされた紙幣（例えば損傷のある紙幣等）を積層状態で収納するようになっている。
【００３２】
還流式収納部６０は、前述のように分割機構７０が着脱自在に設けられるようになっており、分割機構７０が還流式収納部６０に取り付けられたときにこの還流式収納部６０は互いに異なる種類の紙幣を収納可能な２つの収納領域６２、６４に分割されるようになっている。まず、分割機構７０が還流式収納部６０に取り付けられていないときの１金種還流時における還流式収納部６０の構成について説明する。１金種還流時における還流式収納部６０は、入金処理時において、搬送部３０により搬送される紙幣について後述の第２の仕分け機構８２により当該還流式収納部６０に送るよう仕分けされた紙幣を積層状態で収納するようになっている。具体的には、還流式収納部６０は例えば千円紙幣を収納するようになっている。一方、出金処理時においては、還流式収納部６０に収納された千円紙幣が搬送部３０に戻されるようになっている。
【００３３】
図４（ｂ）に示すように、紙幣処理装置が１金種還流式として用いられる場合において、還流式収納部６０は、還流ユニットモジュール６０ａ、鉛直方向に延びる紙幣ガイド６０ｂ、引っ張りバネ６０ｃ、水平方向に延びる板状の収納部材６０ｄ、水平方向に延びる底板６０ｅおよび繰り入れローラ６０ｆより構成されることとなる。具体的には、引っ張りバネ６０ｃは一端が還流式収納部６０の上端部に接続されるとともに他端が底板６０ｅに接続され、引っ張りバネ６０ｃの収縮力により底板６０ｅを上方に引っ張るようになっている。また、収納部材６０ｄは中央に空間が形成されており、この空間を紙幣が通過することができるようになっている。そして、搬送部３０から送られた紙幣は、繰り入れローラ６０ｆにより収納部材６０ｄの上面に繰り入れられ、この紙幣は収納部材６０ｄの中央の空間を通過して収納部材６０ｄと底板６０ｅとの間の領域に送られ、この収納部材６０ｄと底板６０ｅとの間の領域において紙幣が積層状態で収納されるようになっている。この収納された紙幣の前面は紙幣ガイド６０ｂによりガイドされるようになっており、また収納された紙幣は引っ張りバネ６０ｃにより上方に押圧されるようになっている。そして、還流ユニットモジュール６０ａは、収納部材６０ｄと底板６０ｅとの間の領域に収納された紙幣を再び搬送部３０に戻すようになっている。
【００３４】
次に、分割機構７０が還流式収納部６０に取り付けられたときの２金種還流時における還流式収納部６０の構成について説明する。この場合は、図１（ａ）に示すように、還流式収納部６０は２つの収納領域６２、６４に分割される。２金種還流時における第１の収納領域６２は、入金処理時において、搬送部３０により搬送される紙幣について後述の第２の仕分け機構８２により当該第１の収納領域６２に送るよう仕分けされた紙幣を積層状態で収納するようになっている。一方、第２の収納領域６４は、入金処理時において、搬送部３０により搬送される紙幣について後述の第１の仕分け機構８０により当該第２の収納領域６４に送るよう仕分けされた紙幣を積層状態で収納するようになっている。具体的には、入金処理時においては、第１の収納領域６２は例えば５千円紙幣を、第２の収納領域６４は例えば千円紙幣をそれぞれ収納するようになっている。一方、出金処理時においては、第１の収納領域６２に収納された５千円紙幣が搬送部３０に戻されるようになっているとともに、第２の収納領域６４に収納された千円紙幣が搬送部３０に戻されるようになっている。
【００３５】
第１〜第４の仕分け機構８０、８２、８４、８６は、各々、搬送部３０に直列状態で介設されており、識別部４０による紙幣の識別結果に基づいて、搬送部３０により搬送される紙幣についてそのまま引き続き搬送部３０に搬送させるのか、または対応する収納部５０、５４または還流式収納部６０（２金種還流式の場合は各収納領域６２、６４）に仕分けするか、を択一的に行うようになっている。
【００３６】
具体的には、第１の仕分け機構８０は、紙幣処理装置が１金種還流式として用いられる場合は、搬送部３０により搬送される紙幣をそのまま搬送部３０で送り続けさせるよう位置固定される。一方、紙幣処理装置が２金種還流式として用いられる場合は、入金処理時において、第１の仕分け機構８０は、識別部４０により千円紙幣であると識別された紙幣について、第２の収納領域６４に繰り入れるようになっており、その他の金種の紙幣については第２の収納領域６４に繰り入れることなくそのまま搬送部３０で送り続けさせるようにする。
【００３７】
第２の仕分け機構８２は、紙幣処理装置が１金種還流式として用いられる場合は、入金処理時において、識別部４０により千円紙幣であると識別された紙幣について、還流式収納部６０に繰り入れるようになっており、その他の金種の紙幣については還流式収納部６０に繰り入れることなくそのまま搬送部３０で送り続けさせるようにする。一方、紙幣処理装置が２金種還流式として用いられる場合は、入金処理時において、第２の仕分け機構８２は、識別部４０により５千円紙幣であると識別された紙幣について、第１の収納領域６２に繰り入れるようになっており、その他の金種の紙幣については第１の収納領域６２に繰り入れることなくそのまま搬送部３０で送り続けさせるようにする。
【００３８】
第３の仕分け機構８４は、紙幣処理装置が１金種還流式として用いられる場合は、入金処理時において、識別部４０により２千円紙幣または５千円紙幣であると識別された紙幣について、第２の収納部５４に繰り入れるようになっており、その他の金種の紙幣については第２の収納部５４に繰り入れることなくそのまま搬送部３０で送り続けさせるようにする。一方、紙幣処理装置が２金種還流式として用いられる場合は、入金処理時において、識別部４０により２千円紙幣であると識別された紙幣について、第２の収納部５４に繰り入れるようになっており、その他の金種の紙幣については第２の収納部５４に繰り入れることなくそのまま搬送部３０で送り続けさせて放出部９０まで搬送するようにする。
【００３９】
第４の仕分け機構８６は、紙幣処理装置が１金種還流式として用いられる場合および２金種還流式として用いられる場合の両方において、入金処理時には、識別部４０により１万円紙幣であると識別された紙幣について、第１の収納部５０に繰り入れるようになっており、その他の金種の紙幣については第１の収納部５０に繰り入れることなくそのまま搬送部３０で送り続けさせるようにする。一方、出金処理時には、搬送部３０の途中に設けられた簡易判別部４１により偽紙幣または損傷紙幣（不良紙幣）であると識別された紙幣について、出金リジェクト部５８に繰り入れるようになっており、その他の金種の紙幣については出金リジェクト部５８に繰り入れることなくそのまま搬送部３０で送り続けさせて放出部９０まで搬送するようにする。
【００４０】
図４（ａ）および図５に示すように、分割機構７０は、鉛直方向に延びる第１の紙幣ガイド７０ａ、鉛直方向に延びる第２の紙幣ガイド７０ｂ、還流ユニットモジュール７０ｃ、繰り入れローラ７０ｄ、水平方向に延びる底板７０ｅ、２本の引っ張りバネ（一方の引っ張りバネは参照符号７０ｆで図示され、他方の引っ張りバネは図示されていない）、水平方向に延びる板状の収納部材７０ｇより構成されている。これらの各部材はそれぞれ還流式収納部６０に着脱自在となっている。ここで、収納部材７０ｇは中央に空間が形成されており、この空間を紙幣が通過することができるようになっている。
【００４１】
図４（ｂ）に示すような１金種還流式の紙幣処理装置を図４（ａ）に示すような２金種還流式にする場合には、まず紙幣ガイド６０ｂおよび引っ張りバネ６０ｃを取り外し、還流式収納部６０の上端部と底板６０ｅとを引っ張りバネ６０ｃよりも短い引っ張りバネ（図示）、具体的には例えば引っ張りバネ６０ｃの約半分の長さの引っ張りバネで接続させる。次に、第１の紙幣ガイド７０ａ、第２の紙幣ガイド７０ｂ、還流ユニットモジュール７０ｃ、繰り入れローラ７０ｄをそれぞれ取り付ける。そして、還流ユニットモジュール７０ｃの下方において収納部材７０ｇを設置し、この収納部材７０ｇの更に下方に底板７０ｅを設置する。そして、還流式収納部６０の上端部に引っ張りバネ７０ｆの一端を接続させ、この引っ張りバネ７０ｆの他端を底板７０ｅに接続する（図５参照）。このことにより、引っ張りバネ７０ｆの収縮力により底板７０ｅを上方に引っ張るようになっている。また、還流式収納部６０の構成の変更に合わせて、搬送部３０におけるローラの配置の変更および搬送ベルトの取り替えを行う。このようにして、紙幣処理装置を、図４（ａ）に示すような２金種還流式のものとすることができる。
【００４２】
図４（ａ）に示すような２金種還流式の紙幣処理装置において、搬送部３０から第１の収納領域６２に送られた紙幣は、繰り入れローラ６０ｆにより収納部材６０ｄの上面に繰り入れられ、この紙幣は収納部材６０ｄの中央の空間を通過して収納部材６０ｄと底板６０ｅとの間の領域に送られ、この収納部材６０ｄと底板６０ｅとの間の領域において紙幣が積層状態で収納されるようになっている。この収納された紙幣の前面は第１の紙幣ガイド７０ａによりガイドされるようになっており、また収納された紙幣は引っ張りバネ（図示せず）により上方に押圧されるようになっている。そして、還流ユニットモジュール６０ａは、収納部材６０ｄと底板６０ｅとの間の領域に収納された紙幣を再び搬送部３０に戻すようになっている。
【００４３】
一方、搬送部３０から第２の収納領域６４に送られた紙幣は、繰り入れローラ７０ｄにより収納部材７０ｇの上面に繰り入れられ、この紙幣は収納部材７０ｇの中央の空間を通過して収納部材７０ｇと底板７０ｅとの間の領域に送られ、この収納部材７０ｇと底板７０ｅとの間の領域において紙幣が積層状態で収納されるようになっている。この収納された紙幣の前面は第２の紙幣ガイド７０ｂによりガイドされるようになっており、また収納された紙幣は引っ張りバネ７０ｆにより上方に押圧されるようになっている。そして、還流ユニットモジュール７０ｃは、収納部材７０ｇと底板７０ｅとの間の領域に収納された紙幣を再び搬送部３０に戻すようになっている。
【００４４】
なお、搬送部３０から還流式収納部６０の各収納領域６２、６４への紙幣の各取り入れルートは、各収納領域６２、６４に収納された紙幣の搬送部３０への各戻しルートと同一となっている。
【００４５】
次に、このような構成からなる紙幣処理装置の動作について、図６乃至図９を用いて説明する。
【００４６】
まず、紙幣処理装置が２金種還流式として用いられる場合の動作について説明する。この場合には、前述のように、還流式収納部６０に分割機構７０の各部材が予め取り付けられている。
【００４７】
最初に、図６を用いて、紙幣処理装置が２金種還流式として用いられる場合の入金処理について説明する。まず、受入部２０から搬送部３０に１枚ずつ繰り入れられた紙幣は、識別部４０により識別される。そして、識別部４０により千円紙幣であると識別された紙幣は、第１の仕分け機構８０により還流式収納部６０の第２の収納領域６４に収納される。また、識別部４０により５千円紙幣であると識別された紙幣は、第２の仕分け機構８２により還流式収納部６０の第１の収納領域６２に収納される。また、識別部４０により２千円紙幣であると識別された紙幣は、第３の仕分け機構８４により第２の収納部５４に収納される。そして、識別部４０により１万円紙幣であると識別された紙幣は、第４の仕分け機構８６により第１の収納部５０に収納される。一方、識別部４０により偽紙幣または損傷紙幣（不良紙幣）であると識別された紙幣は、還流式収納部６０の各収納領域６２、６４や各収納部５０、５４に収納されることなく、そのまま放出部９０より放出され、ユーザの手元に戻ることとなる。
【００４８】
また、図７を用いて、紙幣処理装置が２金種還流式として用いられる場合の出金処理について説明する。この場合には、還流式収納部６０の第１の収納領域６２から５千円紙幣が、また第２の収納領域６４から千円紙幣がそれぞれ出金されることとなる。具体的には、各収納領域６２、６４から搬送部３０に紙幣が送られ、この搬送部３０で送られる紙幣について当該搬送部３０の途中に設けられた簡易判別部４１により正常であるか否かの簡易判別を行う。そして、異常のない紙幣については放出部９０より放出される。一方、各収納領域６２、６４から搬送部３０に送られた紙幣のうち異常のある紙幣については、第３の仕分け機構８４により出金リジェクト部５８に収納されることとなる。このようにして、２金種還流式の紙幣処理装置では、異常のない千円紙幣および５千円紙幣の２種類の紙幣を出金することが可能となる。
【００４９】
次に、紙幣処理装置が１金種還流式として用いられる場合の動作について説明する。この場合には、還流式収納部６０には分割機構７０の各部材が取り付けられることなく、当該還流式収納部６０には１つの金種のみの紙幣が収納されることとなる。
【００５０】
最初に、図８を用いて、紙幣処理装置が１金種還流式として用いられる場合の入金処理について説明する。まず、受入部２０から搬送部３０に１枚ずつ繰り入れられた紙幣は、識別部４０により識別される。そして、識別部４０により千円紙幣であると識別された紙幣は、第２の仕分け機構８２により還流式収納部６０に収納される。また、識別部４０により２千円紙幣または５千円紙幣であると識別された紙幣は、第３の仕分け機構８４により第２の収納部５４に収納される。そして、識別部４０により１万円紙幣であると識別された紙幣は、第４の仕分け機構８６により第１の収納部５０に収納される。一方、識別部４０により偽紙幣または損傷紙幣（不良紙幣）であると識別された紙幣は、還流式収納部６０や各収納部５０、５４に収納されることなく、そのまま放出部９０より放出され、ユーザの手元に戻ることとなる。なお、第１の仕分け機構８０は、搬送部３０により搬送される紙幣をそのまま搬送部３０で送り続けさせるよう位置固定されるようになっている。
【００５１】
また、図９を用いて、紙幣処理装置が１金種還流式として用いられる場合の出金処理について説明する。この場合には、還流式収納部６０から千円紙幣が出金されることとなる。具体的には、還流式収納部６０から搬送部３０に紙幣が送られ、この搬送部３０で送られる紙幣について当該搬送部３０の途中に設けられた簡易判別部４１により正常であるか否かの簡易判別を行う。そして、搬送部３０で送られる紙幣のうち異常のない紙幣については放出部９０より放出される。一方、還流式収納部６０から搬送部３０に送られた紙幣のうち異常のある紙幣については、第３の仕分け機構８４により出金リジェクト部５８に収納されることとなる。このようにして、１金種還流式の紙幣処理装置では、異常のない千円紙幣からなる１種類の紙幣のみを出金することが可能となる。
【００５２】
以上のように本実施の形態の紙幣処理装置によれば、還流式収納部６０に分割機構７０が着脱自在に設けられており、この分割機構７０が還流式収納部６０に取り付けられたときに、この還流式収納部６０は２種類の紙幣が収納可能となるよう２つの収納領域６２、６４に分割されるようになっている。このことにより、一つの紙幣処理装置を、１つの金種のみについて還流を行うことができる１金種還流式の用途と、２種類の金種について還流を行うことができる２金種還流式の用途との両方の用途で使用することができ、さらに、着脱式の分割機構７０を用いることにより、このような１金種還流式の用途と２金種還流式の用途との切り換えを容易に行うことができるようになる。このため、紙幣処理装置の構造および制御内容を大幅に変更することなく、還流式の紙幣の収納領域の数を変更することができるようになり、紙幣処理装置の汎用性を向上させることができる。
【００５３】
また、分割機構７０が還流式収納部６０に取り付けられたときに、２つの収納領域６２、６４は互いに異なる取り込み口を介して搬送部３０に接続されるようになっており、仕分け機構８０、８２は各取り込み口に対応して複数設置されている。このため、搬送部３０により搬送される紙幣を、その金種に応じてより確実に各収納領域６２、６４に仕分けすることができるようになる。
【００５４】
また、分割機構７０が還流式収納部６０に取り付けられたときにおいて、搬送部３０から還流式収納部６０の各収納領域６２、６４への紙幣の各取り入れルートは、各収納領域６２、６４に収納された紙幣の搬送部３０への各戻しルートと同一となっている。このため、各収納領域６２、６４について取り入れルートと戻しルートとを別々にする場合と比較して、還流式収納部６０における構成を簡易なものとすることができ、紙幣処理装置全体の小型化を図ることができるようになる。
【００５５】
また、受入部２０から還流式収納部６０に紙幣を送るとともに還流式収納部６０に収納された紙幣を放出部９０に送るための搬送部３０は、還流式収納部６０が複数の収納領域６２、６４に分割されるのにもかかわらず１つのものが共通して用いられるようになっている。このため、各収納領域に対応して搬送部をそれぞれ設置する場合と比較して、紙幣処理装置の構成を簡易なものとすることができ、紙幣処理装置全体の小型化を図ることができるようになる。
【００５６】
なお、本実施の形態による紙幣処理装置は、上記の態様に限定されるものではなく、様々の変更を加えることができる。例えば、紙幣処理装置として、上述のような還流式収納部６０が１つの分割機構７０によって２つの収納領域６２、６４に分割されるようになっているものに限定されることはなく、還流式収納部６０が３つ以上の収納領域に分割されるものを用いてもよい。この場合は、各収納領域がそれぞれ搬送部３０に接続されることとなり、各収納領域に対応して３つ以上の仕分け機構が搬送部３０に設けられることとなる。
【００５７】
また、還流式収納部６０が１つの分割機構７０によって２つの収納領域６２、６４に分割される代わりに、還流を行うことのない収納部５０、５４のうち少なくともいずれか一方に分割機構が着脱自在に取り付けられ、分割機構が収納部５０、５４のいずれかに取り付けられたときにこの収納部５０（および／または５４）が２以上の収納領域に分割されるようになっていてもよい。このことにより、紙幣処理装置の構造および制御内容を大幅に変更することなく、当該紙幣処理装置における紙幣の収納領域の数を変更することができ、収納可能な金種の数も変更することができるようになる。
【００５８】
なお、本発明の紙葉類処理装置は、上述の実施の形態に示されるような、紙幣が処理の対象となる紙幣処理装置に限定されることはなく、紙葉類として紙幣以外のものを処理するようになっていてもよい。
【図面の簡単な説明】
【００５９】
【図１】本発明の一の実施の形態における紙幣処理装置の構成を示す側面図であって、（ａ）は還流式収納部に分割機構を設けて２金種還流式にしたときの構成を示し、（ｂ）は、１金種還流式にしたときの構成を示す。
【図２】２金種還流式にしたときの図１の紙幣処理装置を左側面から見た斜視図である。
【図３】２金種還流式にしたときの図１の紙幣処理装置を右側面から見た斜視図である。
【図４】図１の紙幣処理装置における還流式収納部の構成の詳細を示す拡大側面図であって、（ａ）は２金種還流式にしたときの構成を示し、（ｂ）は、１金種還流式にしたときの構成を示す。
【図５】図１の紙幣処理装置に用いられる分割機構の各部品の斜視図である。
【図６】２金種還流式にしたときの図１の紙幣処理装置における入金処理時の紙幣処理フローを示す。
【図７】２金種還流式にしたときの図１の紙幣処理装置における出金処理時の紙幣処理フローを示す。
【図８】１金種還流式にしたときの図１の紙幣処理装置における入金処理時の紙幣処理フローを示す。
【図９】１金種還流式にしたときの図１の紙幣処理装置における出金処理時の紙幣処理フローを示す。
【符号の説明】
【００６０】
１０    筐体
２０    受入部
３０    搬送部
４０    識別部
４１    簡易判別部
５０    第１の収納部
５４    第２の収納部
５８    出金リジェクト部
６０    還流式収納部
６０ａ  還流ユニットモジュール
６０ｂ  紙幣ガイド
６０ｃ  引っ張りバネ
６０ｄ  収納部材
６０ｅ  底板
６０ｆ  繰り入れローラ
６２    第１の収納領域
６４    第２の収納領域
７０    分割機構
７０ａ  第１の紙幣ガイド
７０ｂ  第２の紙幣ガイド
７０ｃ  還流ユニットモジュール
７０ｄ  繰り入れローラ
７０ｅ  底板
７０ｆ  引っ張りバネ
７０ｇ  収納部材
８０    第１の仕分け機構
８２    第２の仕分け機構
８４    第３の仕分け機構
８６    第４の仕分け機構
９０    放出部
【図１】
2008269387.tif 000003
【図２】
2008269387.tif 000004
【図３】
2008269387.tif 000005
【図４】
2008269387.tif 000006
【図５】
2008269387.tif 000007
【図６】
2008269387.tif 000008
【図７】
2008269387.tif 000009
【図８】
2008269387.tif 000010
【図９】
2008269387.tif 000011